【手続補正書】
【提出日】平成16年2月6日(2004.2.6)
【手続補正１】
【補正対象書類名】明細書
【補正対象項目名】特許請求の範囲
【補正方法】変更
【補正の内容】
【特許請求の範囲】
【請求項１】
情報発信媒体を用いた情報提供方法であって、
情報発信媒体に情報ＩＤを付してユーザに提供するとともに、情報提供サーバ装置に、当該情報ＩＤと関連づけて提供情報を記録しておき、
情報発信媒体に接したユーザは、当該情報発信媒体に付された情報ＩＤを伴って、ユーザ端末装置から情報提供サーバ装置にアクセスし、
ユーザ端末装置からのアクセスを受けた情報提供サーバ装置は、受け取った情報ＩＤに対応する提供情報を、当該ユーザ端末装置に送信することによって、ユーザに情報提供を行い、情報提供を行った後さらに、ユーザからポイントの登録指示を受けた場合には、当該ユーザに所定のポイントを付与して記録する処理を行うこと
を特徴とする情報提供方法。
【請求項２】
情報ＩＤを付した情報発信媒体を用いて情報提供を行う情報提供システムであって、
ユーザの有するユーザ端末装置と、前記ユーザ端末装置と通信可能に設けられた情報提供サーバ装置とを備えており、
ユーザ端末装置は、ユーザが前記情報発信媒体から取得した情報ＩＤの入力を受けて、当該情報ＩＤを情報提供サーバ装置に送信し、
情報提供サーバ装置は、前記情報発信媒体の情報ＩＤと提供情報とを対応づけて記録しており、ユーザ端末装置から受信した情報ＩＤに基づいて当該提供情報をユーザ端末装置に送信し、提供情報の送信後さらに、ユーザからポイントの登録指示を受けた場合には、当該ユーザに所定のポイントを付与して記録する処理を行うこと
を特徴とする情報提供システム。
【請求項３】
情報ＩＤを付した情報発信媒体を用いて情報提供を行う情報提供システムを構成するための情報提供サーバ装置であって、
ユーザの有するユーザ端末装置と通信可能に設けられており、
ユーザが前記情報発信媒体から取得した情報ＩＤをユーザ端末装置から受信し、
前記情報発信媒体の情報ＩＤと提供情報とを対応づけて記録しており、ユーザ端末装置から受信した情報ＩＤに基づいて当該提供情報をユーザ端末装置に送信し、提供情報の送信後さらに、ユーザからポイントの登録指示を受けた場合には、当該ユーザに所定のポイントを付与して記録する処理を行うこと
を特徴とする情報提供サーバ装置。
【請求項４】
請求項１〜３のいずれかの情報提供方法、情報提供システムまたは情報提供サーバ装置において、
前記情報発信媒体は、テレビ、ラジオ、新聞、雑誌、電光掲示板、印刷物、商品ラベル、商品パッケージ、スクラッチカードまたはインターネットのウェブページによって情報を発信することを特徴とするもの。
【請求項５】
請求項１〜４のいずれかの情報提供方法、情報提供システムまたは情報提供サーバ装置において、
前記ユーザ端末装置は、インターネットに接続可能な端末装置であって、情報提供サーバ装置にアクセスする際には前記情報発信媒体によらない共通のＵＲＬを使用することを特徴とするもの。
【請求項６】
請求項１〜５のいずれかの情報提供方法、情報提供システムまたは情報提供サーバ装置において、
前記ユーザ端末装置は、電話、ファクシミリ、携帯電話またはコンピュータ装置であることを特徴とするもの。
【請求項７】
請求項１〜６のいずれかの情報提供方法、情報提供システムまたは情報提供サーバ装置において、
前記情報提供サーバ装置は、前記ユーザ端末装置からの送信を受けて所定の処理を行うことを特徴とするもの。
【請求項８】
請求項７の情報提供方法、情報提供システムまたは情報提供サーバ装置において、
前記情報提供サーバ装置が行う所定の処理は、ユーザに選択または入力させる処理であることを特徴とするもの。
【請求項９】
請求項７の情報提供方法、情報提供システムまたは情報提供サーバ装置において、
前記情報提供サーバ装置が行う所定の処理は、広告に関する詳細情報をユーザに視聴させる処理であることを特徴とするもの。
【請求項１０】
請求項７の情報提供方法、情報提供システムまたは情報提供サーバ装置において、
前記情報提供サーバ装置が行う所定の処理は、ユーザにゲームをさせる処理であることを特徴とするもの。
【請求項１１】
請求項７の情報提供方法、情報提供システムまたは情報提供サーバ装置において、
前記情報発信媒体にさらにポイントＩＤを付してユーザに提供するとともに、情報提供サーバ装置に、当該ポイントＩＤと関連づけてポイント付与情報を記録しておき、
ユーザは、前記情報ＩＤと前記ポイントＩＤを伴って情報提供サーバ装置にアクセスし、
情報提供サーバ装置は、受け取った前記ポイントＩＤに関連づけられたポイント付与情報に基づいてユーザに付与するポイントを決定することを特徴とするもの。
【請求項１２】
請求項１１の情報提供方法、情報提供システムまたは情報提供サーバ装置において、
前記情報発信媒体は、前記ポイントＩＤが隠蔽されて印刷されたスクラッチカードであることを特徴とするもの。
【請求項１３】
請求項７〜１２のいずれかの情報提供方法、情報提供システムまたは情報提供サーバ装置において、
前記提供情報は、ユーザが次に入力すべき情報ＩＤおよび当該情報ＩＤを入力すべき他のユーザ端末装置を示す情報であることを特徴とするもの。
【請求項１４】
請求項１３の情報提供方法、情報提供システムまたは情報提供サーバ装置において、
前記情報提供サーバ装置は、ユーザ端末装置から送信されてきた情報ＩＤが当該ユーザ端末装置に対応づけられた情報ＩＤであるか否かを判断し、対応している場合には、次に入力すべき情報ＩＤおよび当該情報ＩＤを入力すべき他のユーザ端末装置を示す情報を前記ユーザ端末装置に送信することを特徴とするもの。
【請求項１５】
請求項７〜１４のいずれかの情報提供方法、情報提供システムまたは情報提供サーバ装置において、
前記情報提供サーバ装置は、前記所定の処理の結果に応じて、ユーザにインセンティブを与えることを特徴とするもの。
【請求項１６】
請求項１〜１５のいずれかの情報提供方法、情報提供システムまたは情報提供サーバ装置において、
前記ユーザ端末装置は、ユーザからの入力を受けて、プログラムに従ったローカル処理を行い、情報提供サーバ装置に送信すべきデータを作成することを特徴とするもの。
【請求項１７】
請求項１６の情報提供方法、情報提供システムまたは情報提供サーバ装置において、
前記プログラムは、ユーザ端末装置が情報提供サーバ装置からダウンロードしたプログラムであることを特徴とするもの。
【請求項１８】
請求項１７の情報提供方法、情報提供システムまたは情報提供サーバ装置において、
前記プログラムは、ユーザの認証情報を含んでおり、情報提供サーバ装置にアクセスした際に当該認証情報を送信することを特徴とするもの。
【請求項１９】
請求項１６〜１８のいずれかの情報提供方法、情報提供システムまたは情報提供サーバ装置において、
前記プログラムは、ユーザが入力した情報ＩＤに基づいて入力画面を生成して表示することを特徴とするもの。
【請求項２０】
請求項１９の情報提供方法、情報提供システムまたは情報提供サーバ装置において、  前記入力画面は、ユーザが入力した情報ＩＤに基づいて決定された個数の選択項目を表示することを特徴とするもの。
【請求項２１】
請求項１６〜１８のいずれかの情報提供方法、情報提供システムまたは情報提供サーバ装置において、
前記ユーザ端末装置は、プログラムとともに、複数の入力画面を表示するためのデータをダウンロードすることを特徴とするもの。
【請求項２２】
請求項２１の情報提供方法、情報提供システムまたは情報提供サーバ装置において、
前記入力画面を表示するためのデータは、予め情報ＩＤに対応づけて記録されていることを特徴とするもの。
【請求項２３】
請求項１６〜２２のいずれかの情報提供方法、情報提供システムまたは情報提供サーバ装置において、
前記プログラムは、ユーザのポイント情報をユーザ端末装置内で管理することを特徴とするもの。
【請求項２４】
情報発信媒体を用いた情報収集方法であって、
情報発信媒体に情報ＩＤを付してユーザから情報を募集するとともに、情報収集サーバ装置に、当該情報ＩＤと関連づけて募集内容を記録しておき、
情報発信媒体に接したユーザは、当該情報発信媒体に付された情報ＩＤおよび当該情報ＩＤに関連づけられた募集内容に対する情報をユーザ端末装置に入力して情報収集サーバ装置に送信し、
ユーザ端末装置からのアクセスを受けた情報収集サーバ装置は、受け取った情報ＩＤと、当該情報ＩＤに関連づけられた募集内容に対する情報とを対応づけて記録すること
を特徴とする情報収集方法。
【請求項２５】
情報ＩＤを付した情報発信媒体を用いて情報収集を行う情報収集システムであって、
ユーザの有するユーザ端末装置と、前記ユーザ端末装置と通信可能に設けられた情報収集サーバ装置とを備えており、
ユーザ端末装置は、ユーザが前記情報発信媒体から取得した情報ＩＤおよび当該情報ＩＤに関連づけられた募集内容に対する情報の入力を受けて、当該情報ＩＤおよび当該情報ＩＤに関連づけられた募集内容に対する情報を情報収集サーバ装置に送信し、
情報収集サーバ装置は、前記情報発信媒体の情報ＩＤと、当該情報ＩＤに関連づけられた募集内容とを対応づけて記録しており、さらにユーザ端末装置から受信した情報ＩＤおよび当該情報ＩＤに関連づけられた募集内容に対する情報を対応づけて記録すること
を特徴とする情報収集システム。
【請求項２６】
情報ＩＤを付した情報発信媒体を用いて情報収集を行う情報収集システムを構成するための情報収集サーバ装置であって、
ユーザの有するユーザ端末装置と通信可能に設けられており、
ユーザが前記情報発信媒体から取得した情報ＩＤおよび当該情報ＩＤに関連づけられた募集内容に対する情報をユーザ端末装置から受信し、
前記情報発信媒体の情報ＩＤと、当該情報ＩＤに関連づけられた募集内容とを対応づけて記録しており、さらにユーザ端末装置から受信した情報ＩＤおよび当該情報ＩＤに関連づけられた募集内容に対する情報を対応づけて記録すること
を特徴とする情報収集サーバ装置。
【請求項２７】
請求項２４〜２６のいずれかの情報収集方法、情報収集システムまたは情報収集サーバ装置において、
前記情報発信媒体は、テレビ、ラジオ、新聞、雑誌、電光掲示板、印刷物、商品ラベル、商品パッケージ、スクラッチカードまたはインターネットのウェブページによって情報を発信することを特徴とするもの。
【請求項２８】
請求項２４〜２７のいずれかの情報収集方法、情報収集システムまたは情報収集サーバ装置において、
前記ユーザ端末装置は、インターネットに接続可能な端末装置であって、情報収集サーバ装置にアクセスする際には前記情報発信媒体によらない共通のＵＲＬを使用することを特徴とするもの。
【請求項２９】
請求項２４〜２８のいずれかの情報収集方法、情報収集システムまたは情報収集サーバ装置において、
前記ユーザ端末装置は、電話、ファクシミリ、携帯電話またはコンピュータ装置であることを特徴とするもの。
【請求項３０】
請求項２４〜２９のいずれかの情報収集方法、情報収集システムまたは情報収集サーバ装置において、
前記情報収集サーバ装置は、前記ユーザ端末装置から受信した情報ＩＤおよび当該情報ＩＤに関連づけられた募集内容に対する情報に応じて、ユーザにインセンティブを与えることを特徴とするもの。
【請求項３１】
請求項２４〜３０のいずれかの情報収集方法、情報収集システムまたは情報収集サーバ装置において、
前記ユーザ端末装置は、ユーザからの入力を受けて、プログラムに従ったローカル処理を行い、情報収集サーバ装置に送信すべきデータを作成することを特徴とするもの。
【請求項３２】
請求項３１の情報収集方法、情報収集システムまたは情報収集サーバ装置において、
前記プログラムは、ユーザ端末装置が情報収集サーバ装置からダウンロードしたプログラムであることを特徴とするもの。
【請求項３３】
請求項３２の情報収集方法、情報収集システムまたは情報収集サーバ装置において、
前記プログラムは、ユーザの認証情報を含んでおり、情報収集サーバ装置にアクセスした際に当該認証情報を送信することを特徴とするもの。
【請求項３４】
請求項３１〜３３のいずれかの情報収集方法、情報収集システムまたは情報収集サーバ装置において、
前記プログラムは、ユーザが入力した情報ＩＤに基づいて入力画面を生成して表示することを特徴とするもの。
【請求項３５】
請求項３４の情報収集方法、情報収集システムまたは情報収集サーバ装置において、
前記入力画面は、ユーザが入力した情報ＩＤに基づいて決定された個数の選択項目を表示することを特徴とするもの。
【請求項３６】
請求項３１〜３３のいずれかの情報収集方法、情報収集システムまたは情報収集サーバ装置において、
前記ユーザ端末装置は、プログラムとともに、複数の入力画面を表示するためのデータをダウンロードすることを特徴とするもの。
【請求項３７】
請求項３６の情報収集方法、情報収集システムまたは情報収集サーバ装置において、
前記入力画面を表示するためのデータは、予め情報ＩＤに対応づけて記録されていることを特徴とするもの。
【請求項３８】
請求項３１〜３７のいずれかの情報収集方法、情報収集システムまたは情報収集サーバ装置において、
前記プログラムは、ユーザのポイント情報をユーザ端末装置内で管理することを特徴とするもの。
【手続補正２】
【補正対象書類名】明細書
【補正対象項目名】００１３
【補正方法】変更
【補正の内容】
【００１３】
【課題を解決するための手段および発明の効果】
(1)この発明にかかる情報提供方法は、情報発信媒体を用いた情報提供方法であって、情報発信媒体に情報ＩＤを付してユーザに提供するとともに、情報提供サーバ装置に、当該情報ＩＤと関連づけて提供情報を記録しておき、情報発信媒体に接したユーザは、当該情報発信媒体に付された情報ＩＤを伴って、ユーザ端末装置から情報提供サーバ装置にアクセスし、ユーザ端末装置からのアクセスを受けた情報提供サーバ装置は、受け取った情報ＩＤに対応する提供情報を、当該ユーザ端末装置に送信することによって、ユーザに情報提供を行い、情報提供を行った後さらに、ユーザからポイントの登録指示を受けた場合には、当該ユーザに所定のポイントを付与して記録する処理を行うことを特徴としている。


【手続補正３】
【補正対象書類名】明細書
【補正対象項目名】００１５
【補正方法】変更
【補正の内容】
【００１５】
(2)この発明にかかる情報提供システムは、情報ＩＤを付した情報発信媒体を用いて情報提供を行う情報提供システムであって、ユーザの有するユーザ端末装置と、前記ユーザ端末装置と通信可能に設けられた情報提供サーバ装置とを備えており、ユーザ端末装置は、ユーザが前記情報発信媒体から取得した情報ＩＤの入力を受けて、当該情報ＩＤを情報提供サーバ装置に送信し、情報提供サーバ装置は、前記情報発信媒体の情報ＩＤと提供情報とを対応づけて記録しており、ユーザ端末装置から受信した情報ＩＤに基づいて当該提供情報をユーザ端末装置に送信し、提供情報の送信後さらに、ユーザからポイントの登録指示を受けた場合には、当該ユーザに所定のポイントを付与して記録する処理を行うことを特徴としている。


【手続補正４】
【補正対象書類名】明細書
【補正対象項目名】００１７
【補正方法】変更
【補正の内容】
【００１７】
(3)この発明にかかる情報提供サーバ装置は、情報ＩＤを付した情報発信媒体を用いて情報提供を行う情報提供システムを構成するための情報提供サーバ装置であって、ユーザの有するユーザ端末装置と通信可能に設けられており、ユーザが前記情報発信媒体から取得した情報ＩＤをユーザ端末装置から受信し、前記情報発信媒体の情報ＩＤと提供情報とを対応づけて記録しており、ユーザ端末装置から受信した情報ＩＤに基づいて当該提供情報をユーザ端末装置に送信し、提供情報の送信後さらに、ユーザからポイントの登録指示を受けた場合には、当該ユーザに所定のポイントを付与して記録する処理を行うことを特徴としている。